(57)【要約】      （修正有）【課題】足裏に対して指圧効果と磁気治療効果を与える履物用の中敷を提供する。【解決手段】基底層４、中間層３、表面層２からなる複数層から形成され、基底層には複数の磁石５が表面層側に突起を形成するように埋め込まれ、磁石の表面は表面層によって覆われており、表面層および基底層には複数の通気孔２１が設けられており、表面層の通気孔は基底層の通気孔より径が小さく、中間層は三次元網目状の弾性体からなる履物用の中敷き１であって、基底層の土踏まずに対応する部位には基底層から底面側に突出した弾性部材が装着されており、前記の底面側に突出した弾性部材は、表面層側から押圧した際に、履き物用の中敷の前後方向の中央部が前後に比べて押圧時の変形量が小さなものである履物用の中敷。【選択図】図１
0003147182.tif 000002
【実用新案登録請求の範囲】
【請求項１】
基底層、中間層、表面層からなる複数層から形成され、基底層には複数の磁石が表面層側に突起を形成するように埋め込まれ、磁石の表面は表面層によって覆われており、表面層および基底層には複数の通気孔が設けられており、表面層の通気孔は基底層の通気孔より径が小さく、中間層は三次元網目状の弾性体からなる履物用の中敷きであって、基底層の土踏まずに対応する部位には基底層から底面側に突出した弾性部材が装着されており、前記の底面側に突出した弾性部材は、表面層側から押圧した際に、履き物用の中敷の前後方向の中央部が前後に比べて押圧時の変形量が小さなものであることを特徴とする履物用の中敷。
【請求項２】
基底層の底面の土踏まずに対応する部位に装着される弾性部材は、着脱自在であって厚みが異なる弾性部材が装着可能である請求項１記載の履き物用の中敷。
【考案の詳細な説明】
【技術分野】
【０００１】
本考案は、靴やサンダル等の履物用の中敷に関するものであり、足裏に指圧の効果と共に磁気作用を得ることができる履物用の中敷きに関する。
【背景技術】
【０００２】
足の裏に位置するつぼに適度な刺激を与える突起を設けた履き物用の中敷き、あるいはつぼを刺激する突起として磁石を用いることでつぼ刺激効果と共に磁気的作用を同時に及ぼすことができる履物用の中敷が提案されている（例えば、特許文献１参照）。
【０００３】
【特許文献１】実用新案登録第３１０４６９２号
【考案の開示】
【考案が解決しようとする課題】
【０００４】
本考案は、足の裏の所定の部位に対し、つぼ刺激効果と磁気による作用を同時に及ぼすことができ、しかも長時間使用しても蒸れや痛みが生じにくく、歩行し易い履物用の中敷きを提供することを課題とするものである。
【課題を解決するための手段】
【０００５】
本考案は、基底層、中間層、表面層からなる複数層から形成され、基底層には複数の磁石が表面層側に突起を形成するように埋め込まれ、磁石の表面は表面層によって覆われており、表面層および基底層には複数の通気孔が設けられており、表面層の通気孔は基底層の通気孔より径が小さく、中間層は三次元網目状の弾性体からなる履物用の中敷きであって、基底層の土踏まずに対応する部位には基底層から底面側に突出した弾性部材が装着されており、前記の底面側に突出した弾性部材は、表面層側から押圧した際に、履き物用の中敷の前後方向の中央部が前後に比べて押圧時の変形量が小さなものである履物用の中敷である。
【０００６】
また、基底層の底面の土踏まずに対応する部位に装着される弾性部材は、着脱自在であって厚みの異なる弾性部材が装着可能である前記の履物用の中敷である。
【考案の効果】
【０００７】
本考案の履物用の中敷によれば、表面層側に突起とともに、磁性体を有しているので、足のつぼを刺激するとともに磁性体によって磁気治療の効果を同時に得られる。また、中敷を構成する表面層、基底層のいずれにも通気孔を有し、表面層と基底層の間の中間層として三次元網目状構造を有する弾性体を配置したので、通気性とクッション性との両者を与えることができる。また、基底層の土踏まずに対応する部位に基底層の底面側には表面層側から押圧した際に履物用の中敷きの前後方向の中央部が前後に比べて押圧時の変形量が小さな弾性体が突出して装着されているので、本考案の中敷は使用時には土踏まずを中心にアーチ状に変形するので、つぼ刺激効果と共に磁気治療効果を高めることができる。
【考案を実施するための最良の形態】
【０００８】
本考案の履物用の中敷は、クッション性、足裏へのつぼ刺激効果と磁気効果、および通気性を満足するために、表面層と基底層に通気孔を有した部材を設け、表面層と基底層の間には、気体の通気性が良好な三次元網目状の弾性体を配置し、更には土踏まずに対応する基底層の底面には、表面層側から押圧した際には履物用中敷の全方向の中央部が前後に比べて変形量が小さな弾性部材を装着したので土踏まず部がアーチ状に変形して、つぼ刺激効果と磁気治療効果が良好なものとなることを見いだしたものである。
【０００９】
以下に本考案の履物用中敷を説明する。
図１は、本発明の履物用中敷を説明する図であり、図１（Ａ）は正面図であり、図１（Ｂ）は、図１（Ａ）のＡ−Ａ’線における断面図である。
本考案の履物用の中敷１は、表面層２と基底層４の間の中間層３として三次元網目状の弾性体を積層して一体に成形したものであり、表面層２には通気孔２１を有し、基底層４には通気孔４１を有している。
表面層２に形成した通気孔２１と基底層４に形成した通気孔４１は、表面層と基底層との間に中間層３として三次元網状の弾性体が配置されているので、表面層２に形成した通気孔２１と基底層４に形成した通気孔４２は、中間層３を通じて連通して履物の内部の良好な通気性が得られ、蒸れを抑制することができる。
また、中間層３として、三次元網目状の弾性体を用いたので、クッション性を良好なものとすることができる。
【００１０】
また、本考案の履物用中敷１には、表面層２が突出した突起６が形成されており、突起の内部には、図１（Ｂ）で示すように表面層２が突出した断面が円あるいは楕円の一部である形状とする磁石５が埋め込まれている。
このように、表面層２に突起６を形成することによって、足裏に対して指圧刺激を与えることができ、突起６が磁石５によって形成されているので、磁力による作用も施すことができる。磁石５は、中敷の表面層にＳ極とＮ極とが交互に並ぶように配置されている。
【００１１】
本考案の履物用中敷には、表面層２には、足裏に対して凹凸感を与えない比較的小さな通気孔２１が形成され、基底層４には、底面ほど径が大きくなる通気孔４１が形成されており、基底層４の強度を保持した上で充分に通気することができる。
【００１２】
更に本考案の履物用の中敷の底面層４には、土踏まずに対応する部分に弾性部材装着開口７を形成し、弾性部材８を装着している。弾性部材８には、中敷きの前後方向の中央部８１が前後部分８２に比べて表面層２から底面層４側に押圧した場合に変形量が小さなものとすることによって、土踏まず部分をアーチ型に保持できる。その結果、表面層２に形成した突起６によって土踏まず部分を刺激すると共に磁石５による磁力線を効果的に作用されることができる。
【００１３】
本考案の履物用中敷の表面層は、皮革、ゴム、ポリオレフィン樹脂、塩化ビニル樹脂等の合成樹脂に所定の通気孔を形成することによって製造することができる。また、中間層の三次元網目状体は、発泡ポリウレタン等によって製造することができる。
また、基底層には、ゴム、ポリウレタン樹脂、熱可塑性エラストマー、ポリ塩化ビニル樹脂等を用いることができる。
【００１４】
また、磁石５には、成形性が良好で磁力が大きなフェライト磁石、希土類磁石を合成樹脂との組成物からなるボンド磁石が好ましい。
磁石の形状は、履物用中敷に装着した際に表面層に向かって球面等の曲面状に突出したものは、突出部に磁力が集中し、同時に指圧効果を与えることができるので好ましい。
【００１５】
本考案の履物用の中敷は、基底層を構成する多数の通気口を有する板状体の所定の個所に設けた穴に突起形成用の磁石を配置した後に、基底層上に、中間層、表面層を順に配置して仮止めし、所定の成形型内で加熱して成形加工することによって作製することができる。
【００１６】
図２は、本考案の履物用中敷の表面層の一部を拡大して示す図である。
図２に示した表面層２には、通気孔２１が間隔を設けて互いに交差する方向の直線状に配置されており、交差位置２２には径が大きな通気孔を設けている。
これによって表面層２の強度の保持と通気量の増大を図ることができ、また意匠性も高めることができる。
【００１７】
図３は、本考案の履物用中敷を説明する図であり、図３（Ａ）は、底面から見た図であり、図３（Ｂ）は、底面に装着する弾性部材を説明する図である。
図３（Ａ）に示すように底面層４には、貫通する多数の通気孔４１が形成されており、通気孔４１は、表面層に近い部分は小径通気孔４２となるテーパ状に形成されている。
その結果、底面層４は、表面層２および三次元網目状体からなる中間層３の保持を良好とすると共に、圧縮および屈曲に対する強度を大きなものとすることができる。
【００１８】
また、底面には、土踏まずに対応する部分に弾性部材装着開口７が形成されている。弾性部材装着開口７には、弾性部材８の形状に嵌め合う形状とすることによって弾性部材８を接着剤等を使用せずに反発力のみで装着することが好ましい。このため、弾性部材装着開口７の側壁には、弾性部材の側壁８４が嵌合する凹部または凸部を設けることが好ましい。また、弾性部材装着開口７の底面にも、弾性部材８に設けた凹部または凸部に嵌合する嵌合部７１を設けることが好ましい。
【００１９】
弾性部材８は、図３（Ｂ）に示すように、前後方向に比べて履物用中敷の幅方向の長さが長く、前後８２から前後方向の中心部８１に向けて断面積が減少する形状の貫通穴８３を形成することによって、弾性部材８を表面層側から底面層側へ押圧した場合の中心部８１の変形量を小さくすることが可能となるので、弾性部材８を土踏まずに対応する位置に装着した履物用中敷は、中心部を頂点にてアーチ状に変形する結果、土踏まず部を保持することができる。
その結果、履物用中敷きの土踏まず部に位置する磁石によって形成された突起により指圧効果および磁気作用を充分に与えることができる。
【産業上の利用可能性】
【００２０】
本考案の履物用の中敷は、表面層側に形成した突起が磁力を有しているので、足のつぼを刺激するとともに磁性体によって磁力治療の効果を同時に得られるとともに、中敷を構成する表面層、基底層のいずれにも通気孔を有し、また表面層と基底層の間の中間層として三次元網目状の弾性体を配置したので、通気性とクッション性とを兼ね備えており、基底層の土踏まずに対応する部位に基底層の底面側に突出して表面層側から押圧した際に前後方向の中央部が前後に比べて押圧時の変形量が小さな弾性体を装着したので、中敷は土踏まずを中心にアーチ状に変形し、つぼ刺激効果と磁気治療効果を高めることができる。
【図面の簡単な説明】
【００２１】
【図１】図１は、本発明の履物用の中敷を説明する図であり、図１（Ａ）は正面図であり、図１（Ｂ）は、図１（Ａ）のＡ−Ａ’線における断面図である。
【図２】図２は、本考案の履物用の中敷の表面層の一部を拡大して示す図である。
【図３】図３は、本考案の履物用の中敷を説明する図である。
【符号の説明】
【００２２】
１…履物用中敷、２…表面層、２１…通気孔、２２…交差位置、３…中間層、４…基底層、４１…通気孔、４２…小径通気孔、５…磁石、６…突起、７…弾性部材装着開口、７１…嵌合部、８…弾性部材、８１…中心部、８２…前後、８３…貫通穴、８４…側壁
【図１】
0003147182.tif 000003
【図２】
0003147182.tif 000004
【図３】
0003147182.tif 000005